【事件の表示】
　平成　７年特許願第２９９９０８号「毛髪化粧料」拒絶査定不服審判事件〔平成　９年　６月　３日出願公開、特開平　９−１４３０３７〕について、次のとおり審決する。
【結　論】
　本件審判の請求は、成り立たない。
【理　由】
１．手続の経緯・本願発明
　本願は、平成７年１１月１７日の出願であって、その請求項１に係る発明は、明細書の記載からみて、平成１３年９月２５日付け手続補正書により補正された明細書の特許請求の範囲の請求項１に記載された次のとおりのものであると認める。（以下、「本願発明」という。）
　
「（Ａ）塩基性アクリル系高分子化合物、
（Ｂ）ポリシロキサン部分の重量平均分子量が７０，０００〜５００，０００であるジメチルポリシロキサン又はメチルフェニルポリシロキサンの末端又は側鎖のケイ素原子の少なくとも１個に、ヘテロ原子を含むアルキレン基を介して、次式（１）
　【化１】
　　　　　（１）　　（式略）
　（式中、Ｒ1は水素原子、炭素数１〜２２のアルキル基、シクロアルキル基、アラルキル基又はアリール基を示し、ｎは２又は３の数を示し、ｘは６〜１００の数を示す）で表わされるポリ（Ｎ−アシルアルキレンイミン）が結合してなる変性ポリシロキサンであって、ポリ（Ｎ−アシルアルキレンイミン）の合計重量が、全変性ポリシロキサン重量の２〜６０重量％を占める変性ポリシロキサン、及び
（Ｃ）噴射剤
を含有し、成分（Ａ）及び（Ｂ）の重量比が（Ａ）／（Ｂ）＝８５／１５〜９９．５／０．５であることを特徴とするヘアスプレー。」
　
２．引用例
　本願の出願日前に頒布された刊行物である引用文献１の特開平７−１３３３５２号公報（以下、「引用例Ａ」という。）には、
(a-1)「【請求項３】 オルガノポリシロキサンセグメントの末端又は側鎖のケイ素原子の少なくとも１個に、ヘテロ原子を含むアルキレン基を介して、下記一般式（１）；
【化１】（式略）
（式中、Ｒ1 は水素原子、炭素数１〜２２のアルキル基、シクロアルキル基、アラルキル基又はアリール基を示し、ｎは２又は３の数を示す）で表わされる繰り返し単位からなるポリ（Ｎ−アシルアルキレンイミン）が結合してなるものである請求項１記載のオルガノポリシロキサン。
【請求項４】 該オルガノポリシロキサンセグメントと該ポリ（Ｎ−アシルアルキレンイミン）セグメントとの配合重量比が９８／２〜４０／６０であり、重量平均分子量５０，０００〜５００，０００である請求項３記載のオルガノポリシロキサン。」（【請求項３〜４】、２頁１欄９〜２７行）　
(a-2)「従って、本発明の目的は毛髪のセット能力及びその保持性に優れ、セット後の毛髪に柔軟でゴワゴワしないという良好な感触を付与し、しかも洗髪により容易に洗い流すことができる毛髪セット剤組成物、毛髪のセット方法及びこれに用いることのできる新規なオルガノポリシロキサンを提供することにある。」（【００１４】、４頁５欄１１〜１７行）
(a-3)「更に本発明は当該オルガノポリシロキサンを含有する毛髪セット剤組成物を提供するものである。」（【００１８】、４頁５欄３３〜３４行）
(a-4)「本発明オルガノポリシロキサンの例としては、次の（Ａ）、（Ｂ）、（Ｃ）及び（Ｄ）が挙げられる。」（【００２６】、５頁７欄１３〜１５行）
(a-5)「（Ａ）オルガノポリシロキサンセグメントの末端又は側鎖のケイ素原子の少なくとも１個に、ヘテロ原子を含むアルキレン基を介して、下記一般式（１）；
【化４】（式略）
（式中、Ｒ1 は水素原子、炭素数１〜２２のアルキル基、シクロアルキル基、アラルキル基又はアリール基を示し、ｎは２又は３の数を示す）で表わされる繰り返し単位からなるポリ（Ｎ−アシルアルキレンイミン）が結合してなるオルガノポリシロキサン。
　このオルガノポリシロキサン（Ａ）においては、該オルガノポリシロキサンセグメントと該ポリ（Ｎ−アシルアルキレンイミン）セグメントとの重量比が９８／２〜４０／６０（より好ましくは９４／６〜６０／４０）であり重量平均分子量が５０，０００〜５００，０００（より好ましくは１００，０００〜３００，０００）であるのが好ましい。
・・・
オルガノポリシロキサンセグメントとポリ（Ｎ−アシルアルキレンイミン）との結合において介在するヘテロ原子を含むアルキレン基としては、窒素原子、酸素原子及び／又はイオウ原子を１〜３個含む炭素数２〜２０のアルキレン基が挙げられ、その具体例としては、
【化５】（式略）
等が挙げられる。また、Ｒ1 で示されるシクロアルキル基としては炭素数３〜６のものが挙げられ；アラルキル基としてはフェニルアルキル、ナフチルアルキル等が挙げられ；アリール基としてはフェニル、ナフチル、アルキル置換フェニル等が挙げられる。
　上記オルガノポリシロキサン（Ａ）は、例えば下記一般式（２）；
【化６】（式略）
（式中、Ｒ2 は同一又は異なって、炭素数１〜２２の飽和アルキル基又はフェニル基を示し、Ｒ3 、Ｒ4 はそれぞれＲ2 と同一の基を示すか又は下記式
【化７】（式略）
で表わされる基を示し、Ｒ5 は上記式で表わされる基を示し、ｐ1 は１００〜４０００の整数を示し、ｑ1 は１〜３００の整数を示す）で表わされるオルガノポリシロキサンと下記一般式（３）；
【化８】（式略）
（式中、ｎは２又は３の数を示し、Ｒ1 は前記と同義である）で表わされる環状イミノエーテルを開環重合して得られる末端反応性ポリ（Ｎ−アシルアルキレンイミン）とを反応させることにより製造される。・・・環状イミノエーテル（３）として例えば２−置換−２−オキサゾリンを用いれば、ポリ（Ｎ−アシルエチレンイミン）（式（１）中、ｎ＝２に相当）が得られ、２−置換−２−オキサジンを用いれば、ポリ（Ｎ−アシルプロピレンイミン）（式（１）中、ｎ＝３に相当）が得られる。」（【００２７】〜【００４２】、５頁７欄１６行〜６頁６欄３３行）
(a-6)「ここで、このオルガノポリシロキサンを含有する組成物へのオルガノポリシロキサンの配合量は、０．０５〜２０重量％が好ましく、特に０．１〜１０重量％が好ましい。」（【００７３】、９頁１５欄６〜９行）
(a-7)「この組成物は、常法に従い、各種剤型、すなわち、スプレー、ミスト、ゲル、ローション、トニック、ブロー剤、クリーム、後発泡性ゲル等に調製することができる。また、エアロゾルとするときには、ブタン、イソブタン、ペンタン、イソペンタン等の揮発性炭化水素、ジクロロフルオロメタン、ジクロロテトラフルオロエタン等のハロゲン化炭化水素、ジメチルエーテル、二酸化炭素、窒素、空気などの噴射ガスを含有させることができる。」（【００７５】、９頁１６欄６〜１４行）
(a-8)「また、この組成物に造膜性ポリマーを配合すればセット保持力が更に向上し、かつ毛髪のすべり感触が良好になる。」（【００７６】、９頁１６欄１５〜１７行）
(a-9)「ここに用いられる造膜性ポリマーとしては、下記（１）〜（８）に示すものが挙げられる。」（【００７７】、９頁１６欄１８〜１９行）
(a-10)「（６）塩基性アクリル系高分子化合物アクリルアミド・アクリルエステル系四元共重合体
特開平２−１８０９１１号公報に記載されているもの等が挙げられる。」（【００８３】、１０頁１７欄３９〜４２行）
(a-11)「合成例１ オルガノポリシロキサンＡ−１
・・・Ｎ−プロピオニルエチレンイミン−ジメチルシロキサン共重合体を淡黄色ゴム状固体（８８５ｇ、収率９７％）として得た。重量平均分子量は１０９，０００であった。・・・
合成例２ オルガノポリシロキサンＡ−２
・・・Ｎ−プロピオニルエチレンイミン−ジメチルシロキサン共重合体を淡黄色ゴム状固体（１，７２０ｇ、収率９７％）として得た。重量平均分子量は１２２，０００であった。・・・
合成例３ オルガノポリシロキサンＡ−３
・・・Ｎ−プロピオニルエチレンイミン−ジメチルシロキサン共重合体を淡黄色ゴム状固体（４２８ｇ、収率９９％）として得た。重量平均分子量は１１５，０００であった。・・・
合成例４ オルガノポリシロキサンＡ−４
　硫酸ジエチル３．７５ｇ（０．０２４４モル）と２−エチル−２−オキサゾリン５８．６ｇ（０．５９１モル）を脱水した酢酸エチル１２５ｇに溶解し、窒素雰囲気下５時間加熱還流し、末端反応性ポリ（Ｎ−プロピオニルエチレンイミン）を合成した。ここに、側鎖１級アミノプロピル変性ポリジメチルシロキサン（分子量１１０，０００、アミン当量９，８４０）２００ｇ（アミノ基にして０．０２０３モル）の５０％酢酸エチル溶液を一括して加え、８時間加熱還流した。反応混合物を減圧濃縮し、Ｎ−プロピオニルエチレンイミン−ジメチルシロキサン共重合体を淡黄色ゴム状固体（２５７ｇ、収率９８％）として得た。シリコーンセグメントの含有率は７６％、重量平均分子量は１１８，０００であった。また、溶媒としてメタノールを使用した塩酸による中和滴定の結果、アミノ基は残存していないことがわかった。
合成例５　オルガノポリシロキサンＡ−５
・・・Ｎ−プロピオニルエチレンイミン−ジメチルシロキサン共重合体を淡黄色ゴム状固体（４６８ｇ、収率９７％）として得た。シリコーンセグメントの含有率は６１％、重量平均分子量は１０２，０００であった。・・・
合成例６　オルガノポリシロキサンＡ−６
・・・Ｎ−アセチルエチレンイミン−ジメチルシロキサン共重合体を淡黄色ゴム状固体（４４４ｇ、収率９８％）として得た。シリコーンセグメントの含有率は８８％、重量平均分子量は１３７，０００であった。」（【００８９】〜【００９５】、１０頁１８欄２９行〜１１頁２０欄３８行）
(a-12)「実施例１５
下記に示す組成のヘアスプレーを常法に従い調製した。
【表１０】
（成分）　　　　　　　　　　　　　　　　　　　　　　　　（重量％）
オルガノポリシロキサンＣ−３ 　　　　　　　　　　　　　　　 １．５
ノニオン性ポリマー（「Luviskol VA37」BASF社製）　　　　　　　５．０
香料　　　　　　　　　　　　　　　　　　　　　　　　　　　　　微量
エタノール　　　　　　　　　　　　　　　　　　　　　　　　　　残量
液化石油ガス　　　　　　　　　　　　　　　　　　　　　　　５０．０
　　計　　　　　　　　　　　　　　　　　　　　　　　　　１００．０」（【０１４２】〜【０１４３】、１８頁３３欄３８行〜３４欄４６行）
と記載されている。
　
３．対比
　引用例Ａには、その請求項４に記載のオルガノポリシロキサンを含む毛髪セット剤組成物が記載され(摘記事項（a-1),(a-2),(a-3)）、このセット剤組成物は、常法に従い、スプレーとすることができ、エアロゾルとするときは、噴射ガスを含有させることができることが記載されている(摘記事項（a-7））。さらに、この組成物に、造膜性ポリマーを配合すればセット保持力が更に向上し、かつ毛髪のすべり感触が良好になることが記載されている。（摘記事項(a-8)）
　したがって、引用例Ａには、造膜性ポリマー、請求項４に記載のオルガノポリシロキサンを含む毛髪セット剤組成物と噴射ガスを含有するヘアスプレ−が記載されている。
　引用例Ａには、その請求項４に記載のオルガノポリシロキサンの例として、（Ａ）〜（Ｄ）を挙げている（摘記事項（a-4））。
（Ａ）のオルガノポリシロキサンの各セグメントに関する説明（摘記事項（a-5））から見て、さらに、例えば、オルガノポリシロキサンＡ−４の合成例である合成例４（摘記事項（a-11））において、側鎖がＮ含有アルキレンで置換されたポリシロキサン部分としては、分子量110,000の側鎖１級アミノプロピル変性ポリジメチルシロキサン、ポリ（Ｎ−アシルアルキレンイミンとしてポリ（Ｎ−プロピオニルエチレンイミン）を使用し、合成されたＮ−プロピオニルエチレンイミン−ジメチルシロキサン共重合体にしめるシリコーンセグメントの含有率が７６％、すなわち、ポリ（Ｎ−プロピオニルエチレンイミン）の含有率が２４％程度であることからも明らかなように、引用例Ａに記載された（Ａ）のオルガノポリシロキサンは、本願発明の成分（Ｂ）である変成ポリシロキサンに相当する。
（なお、引用例Ａにはポリ（Ｎ−アシルアルキレンイミン）の重合度が記載されていないが、本願発明と同様に、環状イミノエーテルを開環重合して製造され、その重合条件も通常のものであり、本願発明のポリ（Ｎ−アシルアルキレンイミン）と重合度の点で異なるものということはできない。）
　また、本願発明のヘアスプレーは、毛髪セット剤組成物のヘアスプレーである。
　したがって、本願発明と引用例Ａに記載された発明は、塩基性アクリル系高分子化合物と、ポリシロキサン部分の重量平均分子量が７０，０００〜５００，０００あるジメチルポリシロキサン又はメチルフェニルポリシロキサンの末端又は側鎖のケイ素原子の少なくとも１個に、ヘテロ原子を含むアルキレン基を介して、次式（１）（式略）で表わされるポリ（Ｎ−アシルアルキレンイミン）が結合してなる変性ポリシロキサンであって、ポリ（Ｎ−アシルアルキレンイミン）の合計重量が、全変性ポリシロキサン重量の２〜６０重量％を占める変性ポリシロキサンに相当する変成ポリシロキサン及び噴射剤を含む毛髪セット剤組成物のヘアスプレーである点で一致し、以下の点で相違する。
　
（相違点１）
　本願発明は毛髪セット用ポリマーを塩基性アクリル系高分子化合物に特定しているのに対して引用例Ａに記載された発明では、「造膜性ポリマーとして、（１）〜（８）として示されたもののうち、『（６）塩基性アクリル系高分子化合物』」（摘記事項(a-9),(a-10)）として８種類の造膜性ポリマーのうちの１つのものとして例示されているにとどまること。
　
（相違点２）
　本願発明は（Ａ）塩基性アクリル系高分子化合物と（Ｂ）変性ポリシロキサンの重量比を（Ａ）／（Ｂ）＝８５／１５〜９９．５／０．５と特定しているのに対して引用例Ａに記載された発明では、重量比について特段の記載がないこと。
　
４．当審の判断
　相違点１について
　引用例Ａには、変性ポリシロキサンを含む組成物に、造膜性ポリマーを配合すればセット保持力が向上し、かつ毛髪のすべり感触が良好になると記載されており、造膜性ポリマーとして、（１）〜（８）の８種の造膜性ポリマーが挙げられ、（６）として、塩基性アクリル系高分子化合物が記載されている。
　そして、（６）の塩基性アクリル系高分子化合物の具体例は、引用例Ａには特開平２−１８０９１１号公報を挙げて記載されている。
　してみれば、当業者であれば、変性ポリシロキサンを含む組成物に、造膜性ポリマーとして、この塩基性アクリル系高分子化合物を配合することにより、変性ポリシロキサンを含む組成物を単独に使用する毛髪セット剤組成物に比べ、よりセット保持力、毛髪のすべり感触において良好な毛髪セット剤組成物を得ることは当業者が容易に着想し得ることである。
　また、その効果も当業者の予想を越えるものではない。
　
　相違点２について
　引用例Ａのオルガノポリシロキサンを含有する組成物へのオルガノポリシロキサンの配合量は０．０５〜２０重量％が好ましいとの記載（摘記事項(a-6)）から、感触やセット持ちのすぐれた毛髪セット剤における造膜性ポリマー／変性ポリシロキサンの重量比としては、0.05/20〜20/0.05、すなわち0.25/99.75〜99.75/0.25という広範な範囲で変えられることは当業者に明らかであり、また引用例Ａの実施例15には、5/1.5すなわち77/23の例（摘記事項(a-12)）もあるのである。
　しかも、上述のとおり、塩基性アクリル系高分子化合物はセット保持力を有し、感触が優れたものであるから、造膜性ポリマーである塩基性アクリル系高分子化合物を変性ポリシロキサンに比べ大きな比率で配合し、好適な配合比を85/15〜99.5/0.5とすることは当業者が容易に想到し得ることである。
　また、塩基性アクリル系高分子化合物と変性ポリシロキサンの重量比を85/15〜99.5/0.5としたことによる効果も、他の重量比とした場合に比べ、当業者の予想を越える程のものであるとはいえない。
　
５．むすび
　以上のとおり、本願発明は、引用例Ａに記載された発明に基づいて、当業者が容易に発明をすることができたものであるから、特許法第２９条第２項の規定により特許を受けることができない。
　よって、結論のとおり審決する。